(57)【要約】【課題】ウイスキや焼酎等の容器内の液体を所望の低温状態にする簡便で再使用可能な液体冷却棒を提供する。【解決手段】液体冷却棒１は膨出部２とこれに連設するステック部３とからなり、予め無菌処理され冷却される。使用時には液体内に液体冷却棒を挿入又は投入し、液体の冷却を行い、冷却後に全体を取り出す。以上により、液体は所望の低温状態になる。【選択図】図１
2005218623.tif 000002
【特許請求の範囲】
【請求項１】
容器内に挿入又は投入されて該容器内の液体を冷却するための冷却棒であって、該冷却棒は、挿入端側に膨出部を有すると共にこれに連設して伸延する細長のステック部を形成する無菌材又は無菌処理された部材からなり、使用前後において低温に冷却処理されるものからなることを特徴とする液体冷却棒。
【請求項２】
前記冷却棒は、単一の収納体内に複数本収納され、全体として冷却処理された状態で流通するものからなることを特徴とする請求項１に記載の液体冷却棒。
【請求項３】
前記冷却棒の前記ステック部には、前記容器の縁部に係止する係止部が形成されることを特徴とする請求項１又は２に記載の液体冷却棒。
【請求項４】
前記冷却棒の膨出部が球体からなることを特徴とする請求項１乃至３のいずれかに記載の液体冷却棒。
【請求項５】
膨出部には貫通孔が形成されることを特徴とする請求項１乃至４のいずれかに記載の液体冷却棒。
【発明の詳細な説明】
【技術分野】
【０００１】
ウイスキ，焼酎，酒，コーヒー等の飲用される液体を飲用時において適温に冷却できると共にその液体の味や風味を殆ど変化させないで冷却し得る簡便構造の液体冷却棒に関する。
【背景技術】
【０００２】
ウイスキ，焼酎，酒，コーヒー等の飲用される液体は、低温の状態で飲用される場合が多い。この場合、これ等の液体を予め冷却器等により冷却することも考えられるが、一般には常温状態にあるこれ等の液体内にブロックアイス（ロックアイス）のような冷却部材を投入して液体を冷却することが通常用いられている。なお、冷却部材に関する公知技術としては、例えば、「特許文献１」や「特許文献２」等が挙げられる。
【特許文献１】特開平７−１９４３１３号（図１）
【特許文献２】実開平５−２５２７３号（図３）
【発明の開示】
【発明が解決しようとする課題】
【０００３】
「特許文献１」の特開平７１９４３１３号公報の「物品内蔵ロックアイス」は種々の形状のロックアイス内に物品を内蔵したものであり、物品としては非食品や食品が用いられている。このものは食べる楽しみと見る楽しみを考えるものであり、内蔵品のないロックアイスに較べて価値のあるものと考えられるが、あくまでもロックアイスであり、氷の部分は液体内に溶解し、液体をうまくする不具合が生ずる。また、内蔵品も液体内に残り、この状態で液体の味や風味を変える効果はあるが、場合により邪魔になることもある。一方、「特許文献２」の実開平５−２５２７３号公報の「ブロックアイス用自動製氷機の製氷構造」は、ブロックアイスのランダム取出しを防止する考案であり、製造されるブロックアイス自体としては特別のものでなく、液体等の冷却用のものであり、本発明品とは相異するものである。
【０００４】
冷却部材として、例えば、ブロックアイスを用いる場合、その取扱性はよいが、一度液体内に投入したブロックアイスを飲用中に引き出すことは通常できない。このため、投入されたブロックアイスが液体内に溶け出し、液体全体の味をうすめる。このため、液体の有している固有の味や風味を損ね、当初の味等と異なるものを飲用する不具合が生ずるが、使用者は仕方がないものとしてあきらめて飲用しているのが通常である。
【０００５】
以上のことから、液体を冷却する冷却部材としては、必要時に液体内に挿入でき、液体を低温状態にしたら随時引き出し可能のものがあれば極めて好ましい。
【０００６】
本発明は、以上の事情に鑑みて発明されたものであり、液体を低温状態に保持でき、必要時にのみ挿入し、引き出しが簡単にでき、かつ再使用が簡単にできる液体冷却棒を提供することを目的とする。
【課題を解決するための手段】
【０００７】
本発明は、以上の目的を達成するために、請求項１の発明は、容器内に挿入又は投入されて該容器内の液体を冷却するための冷却棒であって、該冷却棒は、挿入端側に膨出部を有すると共にこれに連設して伸延する細長のステック部を形成する無菌材又は無菌処理された部材からなり、使用前後において低温に冷却処理されるものからなることを特徴とする。
【０００８】
また、請求項２の発明は、前記冷却棒は、単一の収納体内に複数本収納され、全体として冷却処理された状態で流通するものからなることを特徴とする。
【０００９】
また、請求項３の発明は、前記冷却棒の前記ステック部には、前記容器の縁部に係止する係止部が形成されることを特徴とする。
【００１０】
また、請求項４の発明は、前記冷却棒の膨出部が球体からなることを特徴とする。
【００１１】
また、請求項５の発明は、膨出部には貫通孔が形成されることを特徴とする。
【発明の効果】
【００１２】
本発明の請求項１の液体冷却棒によれば、先端側に膨出部を有しこれに連設する細長のステック部からなる冷却棒を予め、例えば、家庭用の冷蔵庫の冷凍室内に投入し、冷却し、これを必要時に取り出して、飲用される液体内に挿入することにより、液体を低温に冷却することができる。その冷却度の調整は投入される冷却棒の数に比例するため所望の低温に液体を冷却することができる。冷却後はこの冷却棒を取り出し、再度冷却することにより、簡単に再利用できる。なお、この冷却棒は無菌のため、そのまま液体内に投入しても問題はない。
【００１３】
また、本発明の請求項２の液体冷却棒によれば、この冷却棒は複数本収納袋に収納されて流通するため、収納袋ごと冷凍室に冷却することができる。なお、その流通形態は既存のブロックアイスの流通形態と同じであり、特別の製造過程や流通形態を新設する必要がなく、すぐ実施可能である。
【００１４】
また、本発明の請求項３の液体冷却棒によれば、ステック部に係止部が形成されているため、容器にひっかけることができ、冷却棒を常に保持して液体を冷却する必要がなく、楽である。
【００１５】
また、本発明の請求項４の液体冷却棒によれば、冷却棒の膨出部を球体にすることにより、液体を万遍となく均一に冷却することができ、かつ外観美もよい。勿論、この膨出部の形態は球体に限定するものではない。
【００１６】
また、本発明の請求項５の液体冷却棒によれば、膨出部に貫通孔を形成することにより膨出部の外面のみならず貫通孔内を出入する液体を同時に冷却することができ、冷却効率の向上が図れる。
【発明を実施するための最良の形態】
【００１７】
以下、本発明の液体冷却棒の実施の形態を図面を参照して詳述する。図１に本発明の液体冷却棒１の全体構造を示す。
【実施例１】
【００１８】
図示のように、液体冷却棒１は挿入端側（先端側）に形成される膨出部２と、これに連設されて伸延する細長のステック部３とからなる。なお、本実施例では膨出部２としては球体のものからなる。その１つの理由として同一体積の場合にその表面積が他の形態のものより最大になるためである。しかしながら、膨出部２の形態は球体に限定するものではなく、任意のものを採用しても勿論構わない。また、ステック部３は把持し易い形態のものであればよく、その外径や長さは特に限定するものではない。
【００１９】
この液体冷却棒１は後に説明するように容器内に挿入又は投入されて容器内の液体を冷却するためのものであり、無菌体又は無菌処理されることが必要であり、その材質はその機能を満足し得るものが必要となる。なお、例えば、セラミックス材の場合は、通常の無菌処理により、無菌体になることが知られているが勿論、これに限定するものではない。液体冷却棒１は図４に示すように、流通時には複数本のものを収納袋４に入れて密封して販売されるものであるが、予め十分に冷却されて収納されることが望ましい。なお、実際上はブロックアイス等と同じく収納袋４の状態で冷蔵庫の冷凍室５内に保管され、使用時に収納袋４から取り出して用いられる。また、場合により、予め収納袋４から取り出した液体冷却棒１を直接冷凍庫５内にて冷却保存してもよい。
【００２０】
次に、本発明の液体冷却棒１の使用方法を図５により説明する。収納袋４から必要数（通常は１本）取り出した液体冷却棒１を目的の容器６内の液体７内に挿入又は投入する。挿入時においてはステック部３を把持し液体７内でかきまぜる。液体冷却棒１は前記のように十分に冷却されているため液体７は低温となる。勿論１本の液体冷却棒１で不足の場合は数本の液体冷却棒１を用いる必要がある。以上により液体７は所望の温度に冷却される。この状態で液体冷却棒１を引き上げる。このため、従来のブロックアイスのように液体７が十分に冷却された後にそのまま残留し、更に液体７を所望の温度以上に冷却し、かつ溶け込み液体７の濃度を低下させることはない。用済の液体冷却棒１は再冷却することにより何回も使用可能である。
【実施例２】
【００２１】
実施例１における液体冷却棒１は、そのステック部３が真直のものであるが、実施例２の液体冷却棒１ａは図２に示すように上端に係止部８を有するステック部３ａが採用される。この係止部８を設けることにより、図５に示すように液体冷却棒１ａの使用時において容器６の縁部に液体冷却棒１ａを係着することができ、液体冷却棒１ａを常に把持する必要がなく便利である。なお、係止部８の形状は係止機能を有するものであればよく、図示のものに限定するものではない。
【実施例３】
【００２２】
本実施例は膨出部２に特徴を有するものである。図３に示すようにこの膨出部２ａには貫通孔９が形成されている。図示の貫通孔９は円形のものからなるが、任意の形状のものでよい。この貫通孔９を形成することにより、貫通孔９の内壁により容器６内の液体７の冷却が行われ、かつ貫通孔９内への液体の出入動作も生じ液体７の冷却性の向上が図れる。
【産業上の利用可能性】
【００２３】
本発明の液体冷却棒は、容器内の任意の液体の冷却を行うものであるが、液体に限らず簡易の冷却を必要とする場所にも適用され、その利用範囲は広い。また、ブロックアイスのような消耗品でなく、使用側における経済性の向上も図れる。
【図面の簡単な説明】
【００２４】
【図１】本発明の液体冷却棒の一実施例の全体構造を示す平面図。
【図２】本発明の液体冷却棒の他の実施例の全体構造を示す平面図。
【図３】本発明の液体冷却棒の更に他の実施例の全体構造を示す平面図。
【図４】本発明の液体冷却棒の流通形態や冷却方法を説明するための模式図。
【図５】本発明の液体冷却棒の使用方法を説明するための模式図。
【符号の説明】
【００２５】
１    液体冷却棒
１ａ  液体冷却棒
２    膨出部
２ａ  膨出部
３    ステック部
３ａ  ステック部
４    収納袋
５    冷凍室
６    容器
７    液体
８    係止部
９    貫通孔
【図１】
2005218623.tif 000003
【図２】
2005218623.tif 000004
【図３】
2005218623.tif 000005
【図４】
2005218623.tif 000006
【図５】
2005218623.tif 000007